(57)【要約】【課題】主電源が投入された場合に、直ちに電子番組表を表示させて確認することができるとともに、省電力が図られた放送信号受信装置及び番組情報記憶方法を提供する。【解決手段】ＴＶ受像機１のＣＰＵ２７は、一部の機能部のみ給電される省電力状態において、人感センサ２８による人の存在を検知した場合に、デジタルチューナ部８、デジタル復調部９、ネットワークインタフェース部１１、ＩＰ放送チューナ部１２、分離部１３、及びＥＰＧ／ＯＳＤ／予約処理部１９に給電し、分離部１３によりＥＰＧデータを抽出してメモリ２７ａに記憶する。ＣＰＵ２７はＥＰＧデータに基づきＥＰＧ／ＯＳＤ／予約処理部１９にＥＰＧを作成させる。主電源が投入されてユーザによるＥＰＧの表示指示を受け付けた場合に、ＣＰＵ２７は前記ＥＰＧデータに基づき最新のＥＰＧを液晶表示部２に表示させる。【選択図】図２
2011193267.tif 000002
【特許請求の範囲】
【請求項１】
複数の機能部のうちの所定の機能部への給電が停止される省電力状態及び該所定の機能部へ給電される作動可能状態間の移行を制御するとともに、受信した放送信号に含まれる番組情報を随時抽出して記憶部に記憶する放送信号受信装置において、
前記省電力状態であるときに給電され、人の存在を検知する人検知手段と、
前記省電力状態であるか否かを判定する状態判定手段と、
前記状態判定手段により前記省電力状態であると判定し、前記人検知手段により人の存在を検知した場合に、番組情報を抽出して前記記憶部に記憶する情報記憶手段と
を備えることを特徴とする放送信号受信装置。
【請求項２】
前記記憶部に、以後の所定時間分、視聴が可能である番組の情報が記憶されているか否かを判定する番組情報判定手段を備え、
前記情報記憶手段は、前記番組情報判定手段により所定時間分記憶されていないと判定した場合に、番組情報を抽出して前記記憶部に記憶することを特徴とする請求項１に記載の放送信号受信装置。
【請求項３】
前記状態判定手段により前記省電力状態であると判定した場合に、前回、前記人検知手段により人の存在を検知した後に所定の期間が経過したか否かを判定する期間経過判定手段を備え、
前記情報記憶手段は、前記期間経過判定手段により前記所定の期間が経過したと判定した場合に、番組情報を抽出して前記記憶部に記憶することを特徴とする請求項１又は２に記載の放送信号受信装置。
【請求項４】
人の存在を検知する人検知手段を備える放送信号受信装置のうちの前記人検知手段へ給電する省電力状態を制御するとともに、受信した放送信号に含まれる番組情報を随時抽出して記憶する番組情報記憶方法であって、
前記省電力状態であるか否かを判定する状態判定ステップと、
前記人検知手段により人の存在を検知したか否かを判定する存否判定ステップと、
前記状態判定ステップにより前記省電力状態であると判定し、前記存否判定ステップにより人の存在を検知したと判定した場合に、番組情報を抽出して前記記憶部に記憶するステップと
を有することを特徴とする番組情報記憶方法。
【発明の詳細な説明】
【技術分野】
【０００１】
本発明は、放送信号に含まれる番組情報を抽出して電子番組表を作成する放送信号受信装置及び番組情報記憶方法に関する。
【背景技術】
【０００２】
通信衛星及び地上波を用いたデジタル放送においては、映像及び音声に加えて番組情報（ＥＰＧ（Electronic Program Guide）データ）も送信されている。この番組情報としては、例えばチャンネル名、番組名、放送開始日時、放送終了日時、放送時間、番組内容、番組のジャンル、録画の許否情報、視聴者年齢制限情報、検索キーワード情報、番組登場人物の名前等が挙げられる。
デジタル放送を受信できるテレビジョン受像機（以下、ＴＶ受像機という）等の放送信号受信装置の中には、前記ＥＰＧデータに基づいて作成した電子番組表（以下、ＥＰＧという）を表示し、該ＥＰＧを用いて視聴予約及び録画予約をするように構成されたものがある。ＥＰＧから番組を選択して録画予約をした場合、放送信号受信装置に内蔵された録画装置、又は外部に接続された録画装置の記録媒体に番組開始時刻から番組が録画される。ＥＰＧから番組を選択して視聴予約をした場合、番組開始時刻に自動的に前記番組を放送するチャンネルが選局される。そして、番組編成の変更等により放送時間が変更になった場合、録画開始時間又は視聴開始時間も修正されるように構成されている。
【０００３】
ＴＶ受像機においては、ＥＰＧデータは内蔵する分離部（デマルチプレクサ）により分離され、通常ＣＰＵのメモリに一次記憶される。そして、ＥＰＧを作成するＥＰＧ作成部が、前記メモリから入力されたＥＰＧデータを解析し、ＥＩＴ（イベント情報テーブル）を抽出する。次に、ＥＰＧ作成部は抽出したＥＩＴをもとにイベントリストを作成し、作成したイベントリストを参照してＥＰＧを作成する。作成したイベントリスト及び／又はＥＰＧは、ＥＰＧ作成部のメモリに記憶される。ＣＰＵは、ユーザが表示部へのＥＰＧ画面の表示を指示した場合に、前記メモリに記憶されたＥＰＧとビデオデータとを合成処理し、表示部において表示させる。
【０００４】
上述のＴＶ受像機の中には、リモートコントロール装置（以下、リモコンという）のスイッチがオフされ、主電源はオフであるが副電源はオンである省電力状態が設定された場合、主電源を切る前にＥＰＧデータを取得し、更新してメモリに記憶しておき、主電源を切った後は再度主電源が投入されるまでＥＰＧデータを更新しないものがある。
また、省電力状態が設定された場合においてもＥＰＧデータを随時取得し、メモリに更新して記憶するＴＶ受像機もある。
【０００５】
特許文献１には、現在位置検出部が検出した現在位置がどのエリアに属するかを判断し、受信機の設定更新部が、前記エリアに応じエリア記憶部のエリア設定情報を更新するナビゲーション装置において、前記エリアの情報に基づいてプリセットメモリに記憶される受信可能放送局情報リストが更新された場合に、ＥＰＧデータが更新されるように構成されている。
【先行技術文献】
【特許文献】
【０００６】
【特許文献１】特開２００６−１０８７３３号公報
【発明の概要】
【発明が解決しようとする課題】
【０００７】
上述の前者のＴＶ受像機の場合、長期間リモコンのオフ操作がないとき、すなわち、ＴＶ受像機が長期間使用されていないときは、メモリに記憶されたＥＰＧデータが現時点に対応していない無効のデータになるという問題がある。従って、主電源が投入された場合、改めてＥＰＧデータを抽出してメモリに記憶した後、ＥＰＧを作成して表示させることになり、時間を要し、電源投入後、直ちに最新のＥＰＧを表示させることができないという問題がある。
後者のＴＶ受像機の場合、常にチューナ及び分離部等が動作しており、消費電力が高くなるという問題がある。
【０００８】
本発明は斯かる事情に鑑みてなされたものであり、主電源が投入され、作動可能状態になった場合に、改めて番組情報を取得することなく、直ちに記憶部に記憶された番組情報に基づき電子番組表を表示させて確認することができるとともに、省電力が図られている放送信号受信装置、及び番組情報記憶方法を提供することを目的とする。
【課題を解決するための手段】
【０００９】
本発明に係る放送信号受信装置は、複数の機能部のうちの所定の機能部への給電が停止される省電力状態及び該所定の機能部へ給電される作動可能状態間の移行を制御するとともに、受信した放送信号に含まれる番組情報を随時抽出して記憶部に記憶する放送信号受信装置において、前記省電力状態であるときに給電され、人の存在を検知する人検知手段と、前記省電力状態であるか否かを判定する状態判定手段と、前記状態判定手段により前記省電力状態であると判定し、前記人検知手段により人の存在を検知した場合に、番組情報を抽出して前記記憶部に記憶する情報記憶手段とを備えることを特徴とする。
【００１０】
本発明においては、省電力状態である場合に人の存在を検知したときに、予め番組情報を抽出して記憶するので、放送信号受信装置の主電源が投入されて作動可能状態になったときに、直ちに番組情報に基づく電子番組表を表示して内容を確認することができる。そして、省電力状態においてチューナ等が常時動作して番組情報を更新する場合と比較して、消費電力を低減させることができる。
【００１１】
本発明に係る放送信号受信装置は、前記記憶部に、以後の所定時間分、視聴が可能である番組の情報が記憶されているか否かを判定する番組情報判定手段を備え、前記情報記憶手段は、前記番組情報判定手段により所定時間分記憶されていないと判定した場合に、番組情報を抽出して前記記憶部に記憶することを特徴とする。
【００１２】
本発明においては、記憶部に記憶された番組情報が有効でないと判定した場合にのみ番組情報を更新するので、省電力を図ることができる。
【００１３】
本発明に係る放送信号受信装置は、前記状態判定手段により前記省電力状態であると判定した場合に、前回、前記人検知手段により人の存在を検知した後に所定の期間が経過したか否かを判定する期間経過判定手段を備え、前記情報記憶手段は、前記期間経過判定手段により前記所定の期間が経過したと判定した場合に、番組情報を抽出して前記記憶部に記憶することを特徴とする。
【００１４】
本発明においては、ユーザが人検知手段により一度存在を検知された後の所定の期間、例えば朝、家を出てから帰宅するまでの時間等、ユーザの行動に基づく所定の期間が経過した場合に、すなわちユーザが帰宅する頃を見計らって、番組情報を予め抽出し、記憶するので、作動可能状態になったときに、直ちに電子番組表を確認することができる。また、所定の期間が経過しないうちにユーザが帰宅し、人検知手段により検知された場合においても番組情報を予め抽出して記憶するので、いずれかの事象を契機として直ちに確実に電子番組表を確認することができる。
【００１５】
本発明に係る番組情報記憶方法は、人の存在を検知する人検知手段を備える放送信号受信装置のうちの前記人検知手段へ給電する省電力状態を制御するとともに、受信した放送信号に含まれる番組情報を随時抽出して記憶する番組情報記憶方法であって、前記省電力状態であるか否かを判定する状態判定ステップと、前記人検知手段により人の存在を検知したか否かを判定する存否判定ステップと、前記状態判定ステップにより前記省電力状態であると判定し、前記存否判定ステップにより人の存在を検知したと判定した場合に、番組情報を抽出して前記記憶部に記憶するステップとを有することを特徴とする。
【００１６】
本発明においては、省電力状態である場合に人の存在を検知したときに、番組情報を予め抽出して記憶するので、作動可能状態になったときに、直ちに番組情報に基づく電子番組表を確認することができる。そして、省電力状態においてチューナ等が常時動作して番組情報を更新する場合と比較して、消費電力が低減する。
【発明の効果】
【００１７】
本発明によれば、省電力状態である場合に人の存在を検知したときに、番組情報を予め抽出して記憶するので、放送信号受信装置のリモコンのスイッチをオンして作動可能状態になったときに、直ちに電子番組表を表示して確認することができる。すなわち、ユーザが外出又は旅行等し、長期間主電源が投入されず、番組情報が更新されていなかった場合に主電源が投入されたときに、直ちに最新の電子番組表を確認して視聴予約及び録画予約等をすることができ、ユーザビリティが良好である。そして、省電力状態においてチューナ等が常時動作して番組情報を更新する場合と比較して、消費電力が低減する。
【図面の簡単な説明】
【００１８】
【図１】本発明の実施の形態１に係る放送信号受信装置としてのＴＶ受像機を示す斜視図である。
【図２】本発明の実施の形態１に係るＴＶ受像機の構成を示すブロック図である。
【図３】リモコンのスイッチオフを受け付けた場合のＣＰＵによる番組情報記憶処理の手順を示すフローチャートである。
【図４】ユーザの指示により液晶表示部において表示されるＥＰＧ画面の一例を示す図である。
【図５】ユーザの指示により液晶表示部において表示されるＥＰＧ画面の一例を示す図である。
【図６】本発明の実施の形態２に係るＣＰＵによる番組情報記憶処理の手順を示すフローチャートである。
【発明を実施するための形態】
【００１９】
以下、本発明をその実施の形態を示す図面に基づき具体的に説明する。
実施の形態１．
図１は、本発明の実施の形態１に係る放送信号受信装置としてのＴＶ受像機１を示す斜視図、図２はＴＶ受像機１の構成を示すブロック図である。
ＴＶ受像機１は、バックライト２ａにより照明される液晶表示部２、スピーカ３、アナログ放送用アンテナ４、アナログチューナ部５、ＡＶスイッチ部６、デジタル放送用アンテナ７、デジタルチューナ部８、デジタル復調部９、ネットワークインタフェース部１１、ＩＰ放送チューナ部１２、分離部（ＤＭＵＸ：デマルチプレクサ）１３、ビデオデコード／キャプチャ部１４、ビデオセレクタ部１５、映像処理部１６、合成部１７、ビデオ出力変換部１８、メモリ１９ａを有するＥＰＧ／ＯＳＤ／予約処理部１９、選局部２０、オーディオデコード部２１、オーディオセレクタ部２２、オーディオ出力変換部２３、ＲＡＭ２４、通信制御部２５、リモコン受光部２６、メモリ２７ａを有するＣＰＵ２７、人感センサ（人検知手段）２８、及びリモコン送信機２９を備える。
図１に示すように、人感センサ２８はＴＶ受像機１の前面の右側下端部に備えられている。
そして、ＴＶ受像機１には、外部機器３０として例えばＢＤレコーダ、及びＨＤＤレコーダ等の録画装置等が接続されている。
【００２０】
アナログチューナ部５は、アナログ放送用アンテナ４により受信された放送信号の中から選局部２０の選局指示に対応する放送信号を選択して、ＡＶスイッチ部６へ出力する。
ＡＶスイッチ部６は、アナログチューナ部５から入力された放送信号から音声データ及びビデオデータを抽出し、抽出した音声データをオーディオセレクタ部２２へ出力し、ビデオデータをビデオセレクタ部１５へ出力する。
【００２１】
デジタルチューナ部８は、デジタル放送用アンテナ７により受信された放送信号の中から選局部２０の選局指示に対応するデジタル放送の放送信号を選択して、デジタル復調部９へ出力する。デジタル復調部９は、デジタルチューナ部８から入力された放送信号を多重化されたトランスポートストリーム（ＴＳ）信号へデジタル復調し、得られたＴＳ信号を分離部１３へ出力する。
【００２２】
ネットワークインタフェース部１１は、ＬＡＮから入力されたデータをトランスポートプロトコルとしてＴＣＰデータとＵＤＰデータに分離する。ＴＣＰデータは通信制御部２５へ出力され、ＷＥＢブラウジング等のインターネット通信に利用される。ＵＤＰ（ＲＴＰ）データはＩＰ放送チューナ部１２へ出力され、ネットワークパケットからＴＳパケットへ変換されてビデオ・音声ストリーム、及びＥＰＧデータとしてのＳＩ（番組配列情報：サービスインフォメーション、ＥＰＧデータ）専用ストリームとして分離部１３へ出力される。
【００２３】
分離部１３は、デジタル復調部９から入力されたＴＳ信号をビデオデータ及び音声データそれぞれに分離する。また、分離部１３、放送信号からＥＰＧデータを抽出することも行う。分離部１３は、分離したビデオデータをビデオデコード／キャプチャ部１４へ、音声データをオーディオデコード部２１へ出力する。分離部１３によって抽出されたＥＰＧデータは、ＣＰＵ２７による書き込み制御によってメモリ２７ａに記録される。
【００２４】
ビデオデコード／キャプチャ部１４は、分離部１３によって分離されたビデオデータをデコードしたり、ビデオデータに含まれるビデオ情報を静止画としてキャプチャしたりする。ビデオデコード／キャプチャ部１４は、デコードしたビデオデータをビデオセレクタ部１５へ出力する。
ビデオセレクタ部１５は、アナログ放送のビデオ信号、デジタル放送のビデオ信号、及び外部機器３０から入力されるビデオ信号の切換を行う。切り換えられたビデオデータは、映像処理部１６へ出力される。映像処理部１６は、ビデオデータを液晶表示部２において表示できる形式である映像出力信号に変換し、合成部１７へ出力する。合成部１７は、ビデオデータを、ＥＰＧ／ＯＳＤ／予約処理部１９によって作成されたＥＰＧ、ＯＳＤ（オン・スクリーン・ディスプレイ）データと合わせてビデオ出力変換部１８へ出力する。ビデオ出力変換部１８は入力されたデータをビデオ出力信号に変換し、液晶表示部２へ出力する。
【００２５】
オーディオデコード部２１は、分離部１３によって分離された音声データをデコードし、デコードした音声データをオーディオセレクタ部２２へ出力する。
オーディオセレクタ部２２は、オーディオデコード部２１から入力された音声データの信号、及びＡＶスイッチ部６から入力された音声データの信号の切換を行う。切り換えられた音声データは、オーディオ出力変換部２３によって、スピーカ３から出力できる形式のオーディオ出力信号に変換され、該スピーカ３へ出力される。
【００２６】
ＥＰＧ／ＯＳＤ／予約処理部１９は、後述するようにしてメモリ２７ａに更新保存されたＥＰＧデータ（ＳＩ）に基づきＥＰＧを作成したり、ＲＡＭ２４に予め保存さているＯＳＤデータを描画したりする。ＯＳＤデータとは、予めＲＡＭ２４に用意された設定メニュー画面、ＰＯＰ表示画面、音量ケージ、現在時刻、選局チャンネル等の各種情報を描画するためのデータをいう。
ＥＰＧ／ＯＳＤ／予約処理部１９は、分離部１３で分離され、メモリ２７ａから入力されたＳＩを解析し、ＥＩＴ（イベント情報テーブル）を抽出する。次に、抽出したＥＩＴをもとにイベントリストを作成し、作成したイベントリストを参照してＥＰＧを作成する。作成したイベントリスト及び／又はＥＰＧは、メモリ１９ａに記憶される。
ＳＩは番組選択の利便性のために規定された各種の情報であり、(社)電波産業会において制定された規格(ＡＲＩＢ規格)で定義されている。ＳＩは、ＴＳ中のＩＳＯ／ＩＥＣ１３８１８−１でユーザ定義可能として開放された領域を使用して、ＴＳに多重化されて放送局等から送信されており、ＴＶ受像機１に対してＥＰＧに関する各種情報を提供する。ＥＩＴは、イベント（番組を表すことが多い）情報を記述したテーブルであり、前述したＳＩに含まれている。番組ごとに、開始時刻、番組時間、番組名、出演著、番組のジャンル等の情報をこのテーブルに記述することができる。
ＥＰＧ／ＯＳＤ／予約処理部１９は、作成したＥＰＧ、及び描画するＯＳＤデータを合成部１７へ出力する。また、ＥＰＧ／ＯＳＤ／予約処理部１９は、ＥＰＧを利用した番組の予約処理等も行う。
【００２７】
リモコン受光部２６は、リモコン送信機２９から出力された光信号を受信して制御指示を受付ける。
通信制御部２５は、外部機器３０との通信を制御する。通信制御部２５は、外部機器３０に対しては、電話回線、ＬＡＮ、インターネット等のネットワーク網、又はＨＤＭＩ（ハイ−デフィニション・マルチメディア・インタフェース）ケーブル等を介して通信を確立させるように制御を行う。この外部機器３０との接続媒体は、上述したネットワーク網、またはＨＤＭＩケーブに限定されるものではない。
【００２８】
ＣＰＵ２７は、ＴＶ受像機１が備える各部の各種の制御を実行する。ＣＰＵ２７は、メモリ２７ａ又は不図示のハードディスク等に記録したプログラムをＲＡＭ２４に読み出し実行することで各種機能を実現することができる。
ＣＰＵ２７のメモリ２７ａは、書き換え可能な不揮発性のメモリであって、例えばフラッシュメモリ等によって実現される。このメモリ２７ａには、ＣＰＵ２７が読み出して各種制御を実行するためのプログラム等が記憶されている。上述したように、メモリ２７ａには、放送波を介して受信したＥＰＧデータ等の番組情報に関するデータも記憶されている。
ＥＰＧデータは、放送波を通じて周期的あるいは随時取得できるようになっており、このため、メモリ２７ａから削除されても適宜再取得することが可能となっている。ここでは１時間毎に取得するとする。また、メモリ２７ａに記憶される番組情報に関する情報としては、上記したＥＰＧデータ（ＳＩ）に限定されるものではなく、リモコンに対する放送チャンネルの割り当て情報、これら放送チャンネルに対応する周波数帯情報等も含まれている。
【００２９】
前記ＲＡＭ２４は、半導体素子を利用した記憶装置であって、いわゆる主記憶装置と呼ばれるものであり、ＣＰＵ２７から直接読み書きすることができる。
【００３０】
人感センサ２８は、人体から発散される遠赤外線を感知する不図示の遠赤外線センシング部を備えており、ＴＶ受像機１の前に人が存在することを検知した場合、検知信号をＣＰＵ２７へ出力する。
【００３１】
以上のように構成されたＴＶ受像機１においては、ＴＶ受像機１のメインスイッチがオンであり、リモコンのスイッチがオンである場合、ＴＶ受像機１の各部へ給電される作動可能状態となる（不図示の主電源及び副電源がオンである通常モードである）。そして、ＴＶ受像機１のメインスイッチがオンであり、リモコンのスイッチがオフである（不図示の主電源がオフであり、副電源がオンである）場合、ＴＶ受像機１のリモコン受光部２６、ＣＰＵ２７、人感センサ２８のみに給電される省電力状態となる。
本実施の形態のＴＶ受像機１においては、リモコンのスイッチがオフされ、省電力状態が保持されている場合に、人がＴＶ受像機１の前に存在し、人感センサ２８が人体から発散される遠赤外線を感知したときに、ＣＰＵ２７がデジタルチューナ部８、デジタル復調部９、ネットワークインタフェース部１１、ＩＰ放送チューナ部１２、分離部１３、及びＥＰＧ／ＯＳＤ／予約処理部１９に給電し、放送信号からＥＰＧデータを抽出してメモリ２７ａに記憶するように構成されている。
【００３２】
以下に、本発明に係る番組情報記憶方法について詳述する。
図３は、リモコンのスイッチオフを受け付けた場合のＣＰＵ２７による番組情報記憶処理の手順を示すフローチャートである。
ＣＰＵ２７は、リモコンのスイッチオフを受け付ける（Ｓ１）。
【００３３】
次に、ＣＰＵ２７は、メモリ２７ａに記憶されているＥＰＧデータが有効であるか否かを判定する（Ｓ２：番組情報判定手段）。ＣＰＵ２７は、以後の所定時間分、視聴が可能である番組のＥＰＧデータが記憶されているか否かを判定する。例えば現時点から３日分のＥＰＧデータが記憶されている場合、現時点の番組情報を確認することができるとともに、３日後までの録画予約等を行うことができるので有効とする。
図４，図５は、ユーザの指示により液晶表示部２において表示されるＥＰＧ画面の一例を示す図である。図４においては、午前７時に更新されたＥＰＧ画面を示している。ＥＰＧは午前７時に更新され、午前８時にまた更新される。午前７時から１週間分（チャンネルによっては６日分であったりする）のＥＰＧが表示され、午前８時になるまでこの画面が保持される。
図５は、午前８時に更新されたＥＰＧ画面を示す図である。午前８時から１週間分のＥＰＧが表示されている。
【００３４】
現時点が午前７時以降午前８時前である場合に、図４のＥＰＧ画面を表示するためのＥＰＧデータがメモリ２７ａに記憶されているとき、すなわち午前７時以降、１週間分のＥＰＧデータが記憶されているとき、現時点で放送されている番組を確認することができ、かつ３日分以上のＥＰＧデータが記憶されているので有効である。現時点から３日分のＥＰＧデータがメモリ２７ａに記憶されてあれば有効であり、現時点が午前７時以降午前８時前である場合に、例えば午前２時から１週間分のＥＰＧデータが記憶されているとき、有効である。
現時点が午前７時以降午前８時前である場合に、午前７時台の番組のＥＰＧデータがメモリ２７ａに記憶されていないとき、又は午前７時台の番組のＥＰＧデータがメモリ２７ａに記憶されているが以後３日分のＥＰＧデータは記憶されていないとき、無効である。  なお、有効か否かの判断の基準は上述の場合に限定されるものではなく、適宜の基準を設定することができる。１週間分のＥＰＧデータが記憶されている場合、有効であるとしてもよい。また、所定時間分のＥＰＧデータが記憶されていても先頭に現時点の番組が表示されていない場合、無効であるとしてもよい。
【００３５】
ＣＰＵ２７は、ＥＰＧデータが有効であると判定した場合（Ｓ２：ＹＥＳ）、処理をステップＳ４へ進める。
ＣＰＵ２７は、ＥＰＧデータが有効でないと判定した場合（Ｓ２：ＮＯ）、分離部１３からＥＰＧデータを抽出してメモリ２７ａに記憶する（Ｓ３）。そして、ＥＰＧデータをＥＰＧ／ＯＳＤ／予約処理部１９へ出力し、ＥＰＧを作成させてメモリ１９ａに記憶する。
【００３６】
ステップＳ４において、ＣＰＵ２７はリモコンのスイッチがオンされたか否かを判定する（状態判定手段）。
ＣＰＵ２７はスイッチがオンされていないと判定した場合（Ｓ４：ＮＯ）、すなわち省電力状態が保持されていると判定した場合、人感センサ２８が人の存在を検知したか否かを判定する（Ｓ５）。上述したように、人感センサ２８は人の存在を検知した場合、検知信号をＣＰＵ２７へ出力するので、この検知信号が入力されたか否かを判定する。ＣＰＵ２７は人の存在を検知していないと判定した場合（Ｓ５：ＮＯ）、処理をステップＳ４へ戻す。
【００３７】
ＣＰＵ２７は人の存在を検知したと判定した場合（Ｓ５：ＹＥＳ）、処理をステップＳ２へ戻す。ここで、ＣＰＵ２７に記憶されているＥＰＧデータが無効であると判定した場合（Ｓ２：ＮＯ）、ＣＰＵ２７はデジタルチューナ部８、デジタル復調部９、ネットワークインタフェース部１１、ＩＰ放送チューナ部１２、分離部１３、及びＥＰＧ／ＯＳＤ／予約処理部１９に給電する。そして、分離部１３によりＥＰＧデータを抽出してＥＰＧデータをメモリ２７ａに記憶し、ＥＰＧ／ＯＳＤ／予約処理部１９によりＥＰＧを作成させてメモリ１９ａに記憶する（Ｓ３：情報記憶手段）。
【００３８】
ＣＰＵ２７は、リモコンのスイッチがオンされたと判定した場合（Ｓ４：ＹＥＳ）、すなわち作動可能状態になったと判定した場合、ユーザよりＥＰＧの表示指示を受け付けたか否かを判定する（Ｓ６）。ＣＰＵ２７は前記表示指示を受け付けていないと判定した場合（Ｓ６：ＮＯ）、この判定を繰り返す。
ＣＰＵ２７は、前記表示指示を受け付けたと判定した場合（Ｓ６：ＹＥＳ）、ＥＰＧを液晶表示部２に表示させ（Ｓ７）、処理を終了する。
【００３９】
本実施の形態においては、省電力状態が保持されている場合にユーザが帰宅等してＴＶ受像機１の側に存在するときに人感センサ２８がこれを検知し、メモリ２７ａに記憶されているＥＰＧデータが無効であると判定したときには最新のＥＰＧデータを取得するので、ユーザがリモコンのスイッチをオンして作動可能状態になったときに直ちにＥＰＧを視認することができる。すなわち、出勤、旅行等で長時間主電源が入っていない場合に、主電源が投入されたときにユーザが直ちにＥＰＧを確認して、視聴予約及び録画予約等をすることができ、ユーザの利便性が向上している。
そして、省電力状態で定期的にＥＰＧデータを取得して常に最新のＥＰＧデータを記憶しておく場合と比較して、消費電力を大きく低減させることができる。
さらに、人の存在を検知した場合にメモリ２７ａに記憶されているＥＰＧデータが有効である場合にはＥＰＧデータを取得しないので、省電力がより図られている。
【００４０】
なお、本実施の形態においては、ステップＳ２においてＥＰＧデータが無効であると判定した場合にＥＰＧデータを取得してメモリ２７ａに記憶する場合につき説明しているがこれに限定されるものではなく、ＥＰＧデータが有効であるか否かの判定は行わずにＥＰＧデータを取得する（Ｓ３）ことにしてもよい。但し、ＥＰＧデータが無効である場合にのみＥＰＧデータを取得する方が上述したように省電力が図られるので好ましい。
また、ステップＳ５において、人感センサ２８から検知信号を入力されたか否かを判定することはせず、検知信号を入力された時点でＥＰＧデータが有効であるか否かを判定する（Ｓ２）ことにしてもよい。
さらに、ステップＳ３において、ＥＰＧ／ＯＳＤ／予約処理部１９にＥＰＧを作成させることまでは行わず、メモリ２７ａにＥＰＧデータを記憶することのみ行い、ユーザがリモコンのスイッチをオンし、作動可能状態になった場合にＥＰＧ／ＯＳＤ／予約処理部１９にＥＰＧを作成させて液晶表示部２に表示させることにしてもよい。
そして、ＴＶ受像機１はネットワークインタフェース部１１及びＩＰ放送チューナ部１２を備える場合に限定されるものではない。この場合、デジタルチューナ部８のみによりＥＰＧデータを取得する。
【００４１】
実施の形態２．
実施の形態２に係るＴＶ受像機は、実施の形態１に係るＴＶ受像機１と同様の構成を有し、ＣＰＵ２７による情報記憶処理が実施の形態１のＣＰＵ２７に係る情報記憶処理と異なる。
図６は、本発明の実施の形態２に係るＣＰＵ２７による番組情報記憶処理の手順を示すフローチャートである。
ＣＰＵ２７が、リモコンのスイッチオフを受け付ける（Ｓ１１）。
【００４２】
次に、ＣＰＵ２７は、メモリ２７ａに記憶されているＥＰＧデータが有効であるか否かを判定する（Ｓ１２：番組情報判定手段）。ＣＰＵ２７は、以後の所定時間分、視聴が可能である番組のＥＰＧデータが記憶されているか否かを判定する。例えば現時点から３日分のＥＰＧデータが記憶されている場合、現時点の番組情報を確認することができるとともに、３日後までの録画予約等ができるので有効とする。
【００４３】
ＣＰＵ２７は、ＥＰＧデータが有効であると判定した場合（Ｓ１２：ＹＥＳ）、処理をステップＳ１４へ進める。
ＣＰＵ２７は、ＥＰＧデータが有効でないと判定した場合（Ｓ１２：ＮＯ）、分離部１３からＥＰＧデータを抽出してメモリ２７ａに記憶する（Ｓ１３）。そして、該ＥＰＧデータをＥＰＧ／ＯＳＤ／予約処理部１９へ出力し、ＥＰＧを作成させてメモリ１９ａに記憶する。
【００４４】
ステップＳ１４において、ＣＰＵ２７はリモコンのスイッチがオンされたか否かを判定する（状態判定手段）。
ＣＰＵ２７はスイッチがオンされていないと判定した場合（Ｓ１４：ＮＯ）、すなわち省電力状態が保持されていると判定した場合、ユーザが一度人感センサ２８により存在を検知された後、所定の期間が経過したか否かを判定する（Ｓ１５：期間経過判定手段）。所定の期間としては、例えば朝、家を出てから帰宅するまでの時間（略半日）、ユーザが週末のみ帰宅する場合は１週間等が挙げられる。ユーザの日頃の行動に基づいて設定される。
【００４５】
ＣＰＵ２７は、所定の期間が経過したと判定した場合（Ｓ１５：ＹＥＳ）、処理をステップＳ１２へ戻す。ここで、ＣＰＵ２７に記憶されているＥＰＧデータが無効であると判定した場合（Ｓ１２：ＮＯ）は、デジタルチューナ部８、デジタル復調部９、ネットワークインタフェース部１１、ＩＰ放送チューナ部１２、分離部１３、及びＥＰＧ／ＯＳＤ／予約処理部１９に給電し、分離部１３によりＥＰＧデータを抽出してＥＰＧデータをメモリ２７ａに記憶し、ＥＰＧ／ＯＳＤ／予約処理部１９によりＥＰＧを作成させてメモリ１９ａに記憶する（Ｓ１３：情報記憶手段）。
【００４６】
ＣＰＵ２７は所定の期間が経過していないと判定した場合（Ｓ１５：ＮＯ）、人感センサ２８が人の存在を検知したか否かを判定する（Ｓ１６）。ここでは、人感センサ２８から検知信号が入力されたか否かを判定する。ＣＰＵ２７は人の存在を検知していないと判定した場合（Ｓ１６：ＮＯ）、処理をステップＳ１５へ戻す。
【００４７】
ＣＰＵ２７は人の存在を検知したと判定した場合（Ｓ１６：ＹＥＳ）、処理をステップＳ１２へ戻す。ここで、ＣＰＵ２７に記憶されているＥＰＧデータが無効である場合（Ｓ１２：ＮＯ）は、デジタルチューナ部８、デジタル復調部９、ネットワークインタフェース部１１、ＩＰ放送チューナ部１２、分離部１３、及びＥＰＧ／ＯＳＤ／予約処理部１９に給電し、分離部１３によりＥＰＧデータを抽出してＥＰＧデータをメモリ２７ａに記憶し、ＥＰＧ／ＯＳＤ／予約処理部１９によりＥＰＧを作成させてメモリ１９ａに記憶する（Ｓ１３）。
【００４８】
そして、ＣＰＵ２７は、ユーザがリモコンのスイッチをオンしたと判定した場合（Ｓ１４：ＹＥＳ）、すなわち作動可能状態になったと判定した場合、ユーザよりＥＰＧの表示指示を受け付けたか否かを判定する（Ｓ１７）。ＣＰＵ２７は前記表示指示を受け付けていないと判定した場合（Ｓ１７：ＮＯ）、この判定を繰り返す。
ＣＰＵ２７は、前記表示指示を受け付けたと判定した場合（Ｓ１７：ＹＥＳ）、ＥＰＧを液晶表示部２に表示させ（Ｓ１８）、処理を終了する。
【００４９】
本実施の形態においては、人感センサ２８により検知された後、ユーザの外出時にリモコンのスイッチをオフして省電力状態になった場合に、ユーザの通常の行動に基づいて定められた所定の期間が経過したとき、又は早めに帰宅して人感センサ２８により存在を検知されたときに、メモリ２７ａに記憶されているＥＰＧデータが無効であるときには最新のＥＰＧデータを取得するので、ユーザがリモコンのスイッチをオンしたときに直ちに最新のＥＰＧを視認することができる。従って、出勤、旅行等で長時間主電源が入っていない場合に、主電源が投入されたときに、ユーザが直ちに確実に最新のＥＰＧを確認して、視聴予約及び録画予約等をすることができ、ユーザの利便性が向上している。
そして、省電力状態の場合に定期的にＥＰＧを取得して最新のＥＰＧデータを記憶しておくときと比較して消費電力を大きく低減させることができる。
【００５０】
なお、前記実施の形態１及び２においては、放送信号受信装置としてＴＶ受像機を適用した場合につき説明しているがこれに限定されるものではなく、放送信号を受信してＥＰＧデータを抽出することができるＤＶＤレコーダ、ＢＤレコーダ、及びＨＤＤレコーダ等の録画装置、並びにＳＴＢ（セット・トップ・ボックス）等にも適用することができる。これらの装置においても省電力状態である場合に装置が備える人感センサにより人の存在を検知したときに、最新のＥＰＧデータを取得し、装置の主電源が投入されたときに表示装置でＥＰＧを表示させて確認することができる。
【符号の説明】
【００５１】
１  ＴＶ受像機
２  液晶表示部
２ａ  バックライト
３  スピーカ
４  アナログ放送用アンテナ
５  アナログチューナ部
６  ＡＶスイッチ部
７  デジタル放送用アンテナ
８  デジタルチューナ部
９  デジタル復調部
１１  ネットワークインタフェース部
１２  ＩＰ放送チューナ部
１３  分離部（ＤＭＵＸ）
１４  ビデオデコード／キャプチャ部
１５  ビデオセレクタ部
１６  映像処理部
１７  合成部
１８  ビデオ出力変換部
１９  ＥＰＧ／ＯＳＤ／予約処理部
１９ａ、２７ａ  メモリ
２０  選局部
２１  オーディオデコード部
２２  オーディオセレクタ部
２３  オーディオ出力変換部
２４  ＲＡＭ
２５  通信制御部
２６  リモコン受光部
２７  ＣＰＵ
２８  人感センサ
２９  リモコン送信機
３０  外部機器
【図１】
2011193267.tif 000003
【図２】
2011193267.tif 000004
【図３】
2011193267.tif 000005
【図４】
2011193267.tif 000006
【図５】
2011193267.tif 000007
【図６】
2011193267.tif 000008